(57)【要約】【課題】  既設の中空柱の補強を行う際に、充填材の投入時のアラミドロッドの浮き上がりを防止し、アラミドロッドの所定の位置への配置を容易かつ効率的に行うことを可能とするロッド配置用スペーサ及び該ロッド配置用スペーサを用いたロッド配置工法を提供する。【解決手段】  本発明は、立設された中空柱の内部に複数本のロッドと充填材とを投入して中空柱を補強する際に、アラミドロッドＬの所定位置にロッド配置用補助治具３に設けられる環状のロッド保持部３３に掛合し得るロッド配置用スペーサ１を装着し固定し、このロッド配置用スペーサ１を固定したアラミドロッドＬを中空柱内部に挿入し、ロッド配置用補助治具３を中空柱内部に挿入し、ロッド配置用補助治具３のロッド保持部３３にアラミドロッドＬに固定されたロッド配置用スペーサを掛合させる。【選択図】図１
2008179988.tif 000002
【特許請求の範囲】
【請求項１】
立設された中空柱の内部に複数本のロッドと充填材とを投入して当該中空柱を補強する際に、ロッド配置用補助治具に設けられる環状のロッド保持部で前記ロッドを保持して当該ロッドを中空柱内部で所定の間隔で配置するときのロッド配置用スペーサであって、
最大外径が前記ロッド保持部の環状部分の内径よりも大である環状の本体と、
この本体の外周側から内周側に貫通して設けられ、内周側を挿通されるロッドを固定する固定ネジと
を備え、前記ロッド保持部に前記本体を下側から掛合させることで、この本体に固定されるロッドの浮き上がりを防止することを特徴とするロッド配置用スペーサ。
【請求項２】
立設された中空柱の内部に複数本のロッドと充填材とを投入して中空柱を補強する際に、ロッド配置用補助治具に設けられる環状のロッド保持部で前記ロッドを保持して当該ロッドを中空柱内部で所定の間隔で配置するときのロッド配置用スペーサを用いたロッド配置工法であって、
前記ロッドの所定位置に前記ロッド保持部に掛合し得るロッド配置用スペーサを装着し固定する行程と、
当該ロッド配置用スペーサを固定したロッドを中空柱内部に挿入する行程と、
前記ロッド配置用補助治具を中空柱内部に挿入する行程と、
前記ロッド配置用補助治具のロッド保持部にロッドに固定されたロッド配置用スペーサを掛合させる工程と
を備えることを特徴とするロッド配置用スペーサを用いたロッド配置工法。
【請求項３】
前記ロッド配置用スペーサの最大外径が前記ロッド配置用補助治具のロッド保持部の環状部分の内径よりも大であることを特徴とする請求項２記載のロッド配置用スペーサを用いたロッド配置工法。
【発明の詳細な説明】
【技術分野】
【０００１】
本発明は、各種鋼管柱やコンクリート柱等の中空柱の補強を立設した状態で行う際に、該中空柱内部に配設されるロッドの配置を容易にするロッド配置用スペーサ及び該ロッド配置用スペーサを用いたロッド配置工法に関する。
【背景技術】
【０００２】
鋼管柱やコンクリート柱等の中空柱は、通常は中空柱の基端部の所定長部分が地中深く埋設されて強固に立設されおり、また中空柱上部には架線や、投光器、
トランス等が多数取り付けられるため、その立て替えは容易ではない。
【０００３】
一方、このような中空柱は、中空柱の設置環境や経年変化などにより材質等が劣化し、強度が低下する可能性のあることが指摘されることもあった。そのため、中空柱は定期的に点検され、点検の結果、補強や立て替えが行われる必要が生じることもある。
【０００４】
例えば、特許文献１では中空柱としてのコンクリート製の電柱の地際から１ｍ程上方の電柱側面に形成された側面開口部から中空柱の内部に補強材としてのアラミドロッドを複数本、挿入したのち、複数本のアラミドロッドを治具等により均等に配置し、次にこれらアラミドロッドの隙間に例えば豆砂利や砕石を投入し、更にモルタルやコンクリートなどを順次投入し、これにより中空柱の最下端部から側面開口部付近までを補強するようにしている。
【特許文献１】特願２００３−２４１７６号
【発明の開示】
【発明が解決しようとする課題】
【０００５】
上述したように、従来のコンクリート製の電柱の補強方法では、電柱の地際から１ｍ程上方の電柱側面に形成された側面開口部等を用いて、複数本の補強材としてのアラミドロッドを電柱の中空内に投入し、該アラミドロッドを中空内部で均等に配置し、さらにモルタル等の充填材を中空内部に充填して、電柱を補強するようにしている。
【０００６】
このアラミドロッドの均等配置は、常に中空柱の内壁面に沿って、アラミドロッドが均等に配置されることが望まれている。例えば、コンクリート製の電柱の場合、通常は中空柱上端部から下端部側に向かって径が太くなっていく、いわゆるテーパー柱であるが、このようなテーパー柱は内部もテーパー状態であり、このようなテーパー柱であっても同様に、補強用に挿入するアラミドロッドを該ロッドの上端から下端まで中空柱のテーパー状の内壁面に沿うように配置し中空柱のより強固な補強を確保することが望まれている。
【０００７】
そのため、アラミドロッドの配置位置（径）の異なるロッド配置用補助治具をアラミドロッドの長さ方向に複数配置することで、すなわち径の大きなロッド配置用補助治具を下部に、径の小さなロッド配置用補助治具を上部に配置することで、複数本のアラミドロッドを中空柱の長手方向及び断面方向において最適位置に配置する。
【０００８】
続いて、モルタル等の充填材を中空内部に充填する。このとき、アラミドロッドが高強度・高弾性で耐久性に優れた軽量のアラミド繊維で形成されていることから、このアラミドロッドよりも比重が大である充填材を中空内部に充填すると当該アラミドロッドが不均一に浮き上がり、上述した長手方向及び断面方向における最適位置が変化し、最適性が崩れるおそれがあった。
【０００９】
そこで、従来はアラミドロッドの下端部分に錘を付けるようにしたものもあった。しかしながら、アラミドロッドの太さ・長さ及び充填材の比重によって要求される錘の大きさは異なり、一方では錘を大きく（重く）しすぎると作業性が悪くなるという課題があり、錘の大きさ（重さ）の最適化は面倒であった。さらに、アラミドロッドの太さ・長さ及び充填材は作業現場で適宜、変更されることも多く、補強作業全体の効率低下を招来しかねなかった。
【００１０】
本発明は、上記に鑑みてなされたもので、その目的とするところは、立設した状態の既設の中空柱の補強を行う際の、アラミドロッドを所定の位置への配置を容易かつ効率的に行うことを補助することを可能とするロッド配置用スペーサ及び該ロッド配置用スペーサを用いたロッド配置工法を提供することにある。
【課題を解決するための手段】
【００１１】
上記の課題を解決するために、請求項１のロッド配置用スペーサは、立設された中空柱の内部に複数本のロッドと充填材とを投入して当該中空柱を補強する際に、ロッド配置用補助治具に設けられる環状のロッド保持部で前記ロッドを保持して当該ロッドを中空柱内部で所定の間隔で配置するときのロッド配置用スペーサであって、最大外径が前記ロッド保持部の環状部分の内径よりも大である環状の本体と、この本体の外周側から内周側に貫通して設けられ、内周側を挿通されるロッドを固定する固定ネジとを備え、前記ロッド保持部に前記本体を下側から掛合させることで、この本体に固定されるロッドの浮き上がりを防止することを要旨とする。
【００１２】
請求項１のロッド配置用スペーサによれば、ロッド配置用スペーサの環状の本体の最大外径がロッド配置用補助治具のロッド保持部の環状部分の内径よりも大であることから、充填材の投入により、ロッドが充填材との比重差から浮き上がった際に、ロッドの固定ネジで固定されたロッド配置用スペーサ本体がロッド保持部に下側から掛合し、ロッドの浮き上がりを防止することが可能となる。
【００１３】
請求項２のロッド配置用スペーサを用いたロッド配置工法は、立設された中空柱の内部に複数本のロッドと充填材とを投入して中空柱を補強する際に、ロッド配置用補助治具に設けられる環状のロッド保持部で前記ロッドを保持して当該ロッドを中空柱内部で所定の間隔で配置するときのロッド配置用スペーサを用いたロッド配置工法であって、前記ロッドの所定位置に前記ロッド保持部に掛合し得るロッド配置用スペーサを装着し固定する行程と、当該ロッド配置用スペーサを固定したロッドを中空柱内部に挿入する行程と、前記ロッド配置用補助治具を中空柱内部に挿入する行程と、前記ロッド配置用補助治具のロッド保持部にロッドに固定されたロッド配置用スペーサを掛合させる工程とを備えることを要旨とする。
【００１４】
請求項２のロッド配置用スペーサを用いたロッド配置工法では、充填材の投入により、ロッドが充填材との比重差から浮き上がった際に、ロッドの固定ネジで固定されたロッド配置用スペーサ本体がロッド保持部に下側から掛合し、ロッドの浮き上がりを防止することが可能となる。
【００１５】
請求項３のロッド配置用スペーサを用いたロッド配置工法は、前記請求項２記載のロッド配置用スペーサの最大外径が前記ロッド配置用補助治具のロッド保持部の環状部分の内径よりも大であることを要旨とする。
【００１６】
請求項３のロッド配置用スペーサを用いたロッド配置工法では、ロッド配置用スペーサの環状の本体の最大外径がロッド配置用補助治具のロッド保持部の環状部分の内径よりも大であることから、充填材の投入により、ロッドが充填材との比重差から浮き上がった際に、ロッドの固定ネジで固定されたロッド配置用スペーサ本体がロッド保持部に下側から掛合し、ロッドの浮き上がりを防止することが可能となる。
【発明の効果】
【００１７】
本発明によれば、既設の中空柱の補強を行う際に、充填材の投入時のアラミドロッドの浮き上がりを防止し、アラミドロッドの所定の位置への配置を容易かつ効率的に行うことを補助することを可能とする。
【発明を実施するための最良の形態】
【００１８】
以下、本発明の実施の形態を図面を参照して説明する。
【００１９】
図１は、本発明に係るロッド配置用スペーサの構成を示す斜視図であり、図２は本ロッド配置用スペーサの使用状態を示す斜視図であり、さらに図３は本ロッド配置用スペーサの使用状態を示す正面図である。
【００２０】
以下の説明において、中空柱としては各種鋼管柱（テーパーの無い鋼板柱、テーパーのあるパンザマスト（鋼板組立柱））やコンクリート柱（テーパーの有る電柱やテーパーのないコンクリート柱）が含まれるものとする。
【００２１】
図１において、ロッド配置用スペーサ１の筒状体１１は金属管を所定長毎に切断したもので、作業性から長さは１ｃｍ〜５ｃｍ程度が望ましい。また内径は、使用するアラミドロッドＬの外径より大であれば良く、また外径は後述するようにロッド配置用補助治具３のロッド保持部３３の内径よりも大であれば良い。
【００２２】
またロッド配置用スペーサ１の筒状体１１の肉厚は、後述する固定ネジ１３用のネジ孔１５が有効長確保できれば良い。ここではロッド配置用スペーサ１の筒状体１１として金属管を使用するが、樹脂製のパイプ、例えば塩ビパイプ等であっても良いのは言うまでも無い。また、角部分の面取りを行うことで、見栄えが良くなると共に、作業時における作業者の不用意な扱いによるアラミドロッドＬの損傷、あるいは作業者の負傷等を防ぐことができる。
【００２３】
このロッド配置用スペーサ１の筒状体１１の外周面には固定ネジ１３用のネジ孔１５が内側、中空部分に向けて穿孔され、螺刻される。
【００２４】
使用に際しては、固定ネジ１３を、その先端がロッド配置用スペーサ１の筒状体１１の内周面に若干、突出する程度までねじ込み、その先端面を含むように粘着テープの小片（１ｃｍ角程度）を筒状体１１の内周面側から貼付する。これにより、作業中における固定ネジ１３の脱落を未然に防止することが可能となる。
【００２５】
次に図２と図３とを参照して、ロッド配置用スペーサ１の使用について説明する。作業手順は、各種工法によって若干の差異があるので、ここでは一般的な一例に即して説明するものとする。また、以下の作業は、電柱Ｐの側面に穿設された開口部や電柱頂部に開口される開口部から行われるが、以下の説明では、個々の作業については言及しない。
【００２６】
まず、下側に配置されるガイド棒４１Ｌを電柱Ｐ内部に挿入し、このガイド棒４１Ｌにロッド配置用補助治具３の本体フレーム３１中心部分の図示していないガイド孔に挿通する。このガイド棒４１Ｌの上端部分に連結用長ナット４３を装着し、該連結用長ナット４３を下側の六角穴付ボルト４５でガイド棒４１Ｌに固定する。なお連結用雄ねじ３５は、電柱Ｐ側面の開口部分からロッド配置用補助治具３を操作する際に、図示しない操作治具と連結するための雄ねじ部である。
【００２７】
その後に、連結用長ナット４３の上部に上側に配置されるガイド棒４１Ｕを同様に連結する。この連結用長ナット４３の外径は、上記本体フレーム３１中心部分のガイド孔の孔径よりも大であることから、ロッド配置用補助治具３は連結用長ナット４３を超えて上方に移動することは出来ない。なお、ロッド配置用補助治具３の本体フレーム３１中心部分近傍には上向きのフック３７と図示しない下向きのフックとが設けられ、適宜、ロッド配置用補助治具３を知り下げる際、またはロッド配置用補助治具３からカメラ等を吊り下げる際に用いられる。
【００２８】
次に、アラミドロッドＬにロッド配置用スペーサ１を装着し、固定する。この装着に際しては、まずアラミドロッドＬの所定位置に油性ペン等により印しを記入する。例えば３本のにアラミドロッドＬの下端から同じ長さ（高さ）となる位置に印を付与する。この印を付与した位置にロッド配置用スペーサ１を装着し、固定ネジ１３でアラミドロッドＬを反対側に押し付けｆ、固定する（図３参照）。
【００２９】
続いて、ロッド配置用補助治具３を一旦、フック３７に掛止したワイヤで吊り上げた後に、電柱Ｐ内部に挿入された３本のロッド配置用スペーサ１装着済みアラミドロッドＬの上方から、ロッド配置用補助治具３の各ロッド保持部３３の環内にアラミドロッドＬを挿通させながら、降下させる。
【００３０】
ロッド配置用補助治具３は、アラミドロッドＬに装着されたロッド配置用スペーサ１位置で下降を停止する。この状態が図２に示される。この後に、モルタル等の充填材が電柱Ｐの中空内部に充填されると、アラミドロッドＬがその浮力Ｆで浮き上がり始めるが、ロッド配置用スペーサ１がロッド配置用補助治具３の各ロッド保持部３３に掛止されているため、アラミドロッドＬは最適位置を保持したままの状態を維持できる。
【図面の簡単な説明】
【００３１】
【図１】本発明のロッド配置用スペーサの構成を示す斜視図である。
【図２】本発明のロッド配置用スペーサの使用状態を示す斜視図である。
【図３】本発明のロッド配置用スペーサの使用状態を示す正面図である。
【符号の説明】
【００３２】
１…ロッド配置用スペーサ
３…ロッド配置用補助治具
１１…筒状体
１３…固定ネジ
１５…ネジ孔
３１…本体フレーム
３３…ロッド保持部
３５…連結用雄ねじ
３７…フック
４１…ガイド棒
４３…連結用長ナット
４５…六角穴付ボルト
Ｌ…ロッド
Ｐ…電柱
【図１】
2008179988.tif 000003
【図２】
2008179988.tif 000004
【図３】
2008179988.tif 000005